(57)【要約】【課題】既存の仕組みを利用し、新たな投資をすることなく既存の構成で表示装置の画面に実寸で表示することを可能にすること。【解決手段】画像を表示画面に実寸で表示する画像実寸表示システム１７は、表示する画面の仕様情報（画面サイズ、画面サイズ縦横比、垂直／水平解像度）と、画像ファイル格納場所を取得するデータ取得処理部１０７１と、データ取得処理部によって取得した画像ファイル格納場所に存在するＥxif形式の画像ファイルに埋め込まれている撮影時の情報（被写体距離、垂直／水平の画角）を取得するＥxif情報取得処理部１０７２と、前記画面の仕様情報と撮影時の情報から画像を画面に実寸で表示するために必要な値を算出する画像実寸算出処理部１０７３と、算出した画像を画面に実寸で表示するために必要な画面表示サイズ（pixel数）をＨＴＭＬのimgタグ形式に編集する画面出力編集処理部１０７４からなる。【選択図】図１
2010078677.tif 000002
【特許請求の範囲】
【請求項１】
画像を表示装置の表示画面に実寸で表示する画像実寸表示システムにおいて、
画像を表示する画面の画面サイズ、画面サイズ縦横比、垂直方向／水平方向の解像度と、画像ファイル格納場所を取得するデータ取得処理手段と、
該データ取得処理手段によって取得された画像ファイル格納場所に存在するＥxif形式の画像ファイルに埋め込まれている撮影時の被写体距離、垂直方向／水平方向の画角を取得するＥxif情報取得処理手段と、
前記データ取得処理手段によって取得された画像を表示する画面の画面サイズ、画面サイズ縦横比、垂直方向／水平方向の解像度)と、前記Ｅxif情報取得処理手段によって取得されたＥxif形式の画像ファイルに埋め込まれている撮影時の被写体距離、垂直方向／水平方向の画角に基づいて画像を画面に実寸で表示するために必要な値を算出する画像実寸算出処理手段と、
該画像実寸算出処理手段によって算出された画像を画面に実寸で表示するために必要な画面表示サイズ（ピクセル数）をＨＴＭＬのimgタグ形式に編集する画面出力編集処理手段と
を備えることを特徴とする画像実寸表示システム。
【請求項２】
請求項１記載の画像実寸表示システムにおいて、
前記画像実寸算出処理手段は、
前記被写体距離と垂直方向／水平方向の画角に基づき被写体の垂直方向／水平方向の実寸を算出する手段と、
前記画面サイズと画面サイズ縦横比に基づいて表示画面の高さと幅を算出する手段と、
前記表示画面の高さと幅と垂直方向／水平方向の解像度に基づいて画面上の１ピクセルの垂直方向／水平方向の寸法を算出する手段と、
前記１ピクセルの垂直方向／水平方向の寸法と、前記被写体の垂直方向／水平方向の実寸に基づいて被写体の実寸表示の垂直方向／水平方向のピクセル数を算出する手段
からなることを特徴とする画像実寸表示システム。
【請求項３】
請求項１または２記載の画像実寸表示システムにおいて、
画像を表示する画面の画面サイズ、画面サイズ縦横比、垂直方向／水平方向の解像度を格納する入力情報ＤＢと、画像ファイル格納場所を格納する画像ファイル格納場所ＤＢと、Ｅxif形式の画像ファイルを格納するＥxif形式の画像ファイルＤＢを備え、
前記データ取得処理手段は、前記入力情報ＤＢから前記画面サイズ、画面サイズ縦横比、垂直方向／水平方向の解像度を取得し、前記画像ファイル格納場所ＤＢから前記画像ファイル格納場所を取得する手段であり、
前記Ｅxif情報取得処理手段は、前記Ｅxif形式の画像ファイルＤＢから前記Ｅxif形式の画像ファイルに埋め込まれている撮影時の被写体距離、垂直方向／水平方向の画角を取得する手段であることを特徴とする画像実寸表示システム。
【請求項４】
画像を表示装置の表示画面に実寸で表示する画像実寸表示方法において、
画像を表示する画面の画面サイズ、画面サイズ縦横比、垂直方向／水平方向の解像度と、画像ファイル格納場所を取得するデータ取得処理手順と、
該データ取得処理手順によって取得された画像ファイル格納場所に存在するＥxif形式の画像ファイルに埋め込まれている撮影時の被写体距離、垂直方向／水平方向の画角を取得するＥxif情報取得処理手順と、
前記データ取得処理手順によって取得された画像を表示する画面の画面サイズ、画面サイズ縦横比、垂直方向／水平方向の解像度)と、前記Ｅxif情報取得処理手順によって取得されたＥxif形式の画像ファイルに埋め込まれている撮影時の被写体距離、垂直方向／水平方向の画角に基づいて画像を画面に実寸で表示するために必要な値を算出する画像実寸算出処理手順と、
該画像実寸算出処理手順によって算出された画像を画面に実寸で表示するために必要な画面表示サイズ（ピクセル数）をＨＴＭＬのimgタグ形式に編集する画面出力編集処理手順と
を備えることを特徴とする画像実寸表示方法。
【請求項５】
請求項４記載の画像実寸表示方法において、
前記画像実寸算出処理手順は、
前記被写体距離と垂直方向／水平方向の画角に基づき被写体の垂直方向／水平方向の実寸を算出する手順と、
前記画面サイズと画面サイズ縦横比に基づいて表示画面の高さと幅を算出する手順と、
前記表示画面の高さと幅と垂直方向／水平方向の解像度に基づいて画面上の１ピクセルの垂直方向／水平方向の寸法を算出する手順と、
前記１ピクセルの垂直方向／水平方向の寸法と、前記被写体の垂直方向／水平方向の実寸に基づいて被写体の実寸表示の垂直方向／水平方向のピクセル数を算出する手順
からなることを特徴とする画像実寸表示方法。
【請求項６】
コンピュータを、請求項１から３のいずれかに記載の画像実寸表示システムにおける各手段として機能させるためのプログラム。
【発明の詳細な説明】
【技術分野】
【０００１】
本発明は、画像を表示装置の画面に実寸で表示する場合に必要な画面表示サイズ（pixel数）を算出して表示する画像実寸表示システムおよび画像実寸表示方法ならびにそのためのプログラムに関するものである。
【背景技術】
【０００２】
従来、インターネットで代表されるように、例えばカタログ情報を画面で閲覧しながら購買プロセスを進行させるビジネスプロセスが普及してきており、特にサイズが比較的小さい商品については、数値的なサイズ表示の確認だけでなく、実際の大きさを目視で確認して購入するか否かを判断したいというユーザの強い要望がある。
【０００３】
画像を表示装置の画面に実寸で表示するため従来技術としては、例えば特開２００１−１６６７６３号公報「画像表示装置」（特許文献１）に開示されたものがある。
【０００４】
特許文献１に開示された画像表示装置は、画面サイズの相違にかかわらず、表示装置上で実物の大きさを容易に確認できるようにしたもので、そのために、画像取込装置で取り込まれた入力パターンに、単位当たりの入力解像度の取得手段からの入力解像度を用いて、入力パターンの演算装置により実寸での入力パターンを算出して表示装置の画面に表示するようにすることにより、表示装置の画面サイズが異なる場合にも、文字および画像が実寸で表示できるようにしている。
【０００５】
【特許文献１】特開２００１−１６６７６３号公報
【発明の開示】
【発明が解決しようとする課題】
【０００６】
一般的に画像を画面に実寸で表示する場合、第一ステップとして、被写体の実寸を算出するために必要な情報を画像データ読込み時に取得し、第二ステップとして、画像を表示する画面の画面解像度と画面サイズと画面サイズ縦横比を取得し、第三ステップとして、上記第一ステップと第二ステップで取得した情報から画像を表示画面に実寸で表示するために必要な値を算出する、といった手順を必要とする。
【０００７】
この第一ステップの被写体の実寸を算出するために必要な情報を取得するステップと第三ステップの画像を画面に実寸で表示するために必要な値を算出するステップのぞれぞれのステップを実現するための手段として、特許文献１では、専用の画像取込装置と専用の実寸を算出するための演算装置を用いている。
【０００８】
このように、特許文献１における画像表示装置では、専用の画像取込装置と専用の実寸を算出するための演算装置を必要としており、そのため、構成が複雑になるだけでなく、投資が大きくなる（コスト高）という問題がある。
【０００９】
そこで、本発明の目的は、専用の装置を使用せずに既存の仕組みを利用し、かつ新たな投資をすることなく既存の構成で表示装置の画面に実寸で表示することが可能な画像実寸表示システムおよび画像実寸表示方法ならびにそのためのプログラムを提供することである。
【課題を解決するための手段】
【００１０】
本発明は、上記目的を達成するために、次の構成を有する。
ａ）本発明に係る画像実寸表示システムは、画像を表示装置の表示画面に実寸で表示する画像実寸表示システムにおいて、画像を表示する画面の画面サイズ、画面サイズ縦横比、垂直方向／水平方向の解像度と、画像ファイル格納場所を取得するデータ取得処理手段（データ取得処理部１０７１）と、データ取得処理手段によって取得した画像ファイル格納場所に存在するＥxif形式の画像ファイルに埋め込まれている撮影時の被写体距離、垂直方向／水平方向の画角を取得するＥxif情報取得処理手段（Ｅxif情報取得処理部１０７２）と、データ取得処理手段によって取得した画像を表示する画面の画面サイズ、画面サイズ縦横比、垂直方向／水平方向の解像度)と、Ｅxif情報取得処理手段によって取得したＥxif形式の画像ファイルに埋め込まれている撮影時の被写体距離、垂直方向／水平方向の画角に基づいて画像を画面に実寸で表示するために必要な値を算出する画像実寸算出処理手段（画像実寸算出処理部１０７３）と、画像実寸算出処理手段によって算出した画像を画面に実寸で表示するために必要な画面表示サイズ（pixel数）をＨＴＭＬのimgタグ形式に編集する画面出力編集処理手段（画面出力編集処理部１０７４）を備える。
【００１１】
ｂ）本発明に係る画像実寸表示方法は、画像を表示装置の表示画面に実寸で表示する画像実寸表示方法において、画像を表示する画面の画面サイズ、画面サイズ縦横比、垂直方向／水平方向の解像度と、画像ファイル格納場所を取得するデータ取得処理手順と、該データ取得処理手順によって取得された画像ファイル格納場所に存在するＥxif形式の画像ファイルに埋め込まれている撮影時の被写体距離、水平方向／垂直方向の画角を取得するＥxif情報取得処理手順と、データ取得処理手順によって取得された画像を表示する画面の画面サイズ、画面サイズ縦横比、垂直方向／水平方向の解像度)と、Ｅxif情報取得処理手順によって取得されたＥxif形式の画像ファイルに埋め込まれている撮影時の被写体距離、垂直方向／水平方向の画角に基づいて画像を画面に実寸で表示するために必要な値を算出する画像実寸算出処理手順と、該画像実寸算出処理手順によって算出された画像を画面に実寸で表示するために必要な画面表示サイズ（pixel数）をＨＴＭＬのimgタグ形式に編集する画面出力編集処理手段とを備える。
【００１２】
ｃ）本発明に係るプログラムは、コンピュータを、上記画像実寸表示システムにおける各手段として機能させるためのプログラムである。
【発明の効果】
【００１３】
本発明を適用すると、デジタルカメラ規格のＥxif形式の画像ファイルに埋め込まれている撮影時の被写体距離と画角を利用することにより、専用の画像読込装置は不要となる。
【００１４】
また、取得した撮影時の被写体距離と画角および画面解像度と画面サイズと画面サイズ縦横比から画像を画面に実寸で表示するために必要な画面表示サイズ（pixel数）を算出する計算方式を確立することにより、専用の演算装置も不要となる。
【００１５】
その結果として、専用装置を使用せずに既存の仕組みを利用し、かつ新たな投資をすることなく現状の構成で画像を画面に実寸で表示することができる画像実寸表示システムを提供できるようになる。
【発明を実施するための最良の形態】
【００１６】
本発明を実施するための最良の形態として、インターネット利用システムのデファクトスタンダードプラットフォームであるＪ２ＥＥ（Ｊava（登録商標）２ Ｅnterprise Ｅdition）を利用した例で説明する。
【００１７】
最近のデジタルカメラの新製品はほとんどＥxif形式（Exchangeable image file format）画像で画像を保存するようになっている。Ｅxif形式（Exchangeable image file format）画像は、その画像構造の中にサムネイル画像や撮影情報などのデータを埋め込んだものである。ここで撮影情報とは、メーカーや機種によって異なるが被写体距離や撮影時の画角を含むものがある。
【００１８】
本発明は、少なくとも被写体距離と撮影時の画角を含む撮影情報を埋め込んだＥxif形式（Exchangeable image file format）画像を実寸表示するための発明である。
【００１９】
図１は、本発明に係る画像実寸表示システムを備える表示システムの全体を示す構成図であり、Ｊ２ＥＥ準拠のWebアプリケーションサーバ内で動作するServletから呼出されるデータ取得処理部１０７１と画像実寸算出処理部１０７２と画面出力編集処理部１０７３から成る本発明の主要部である画像実寸表示システム１０７と、該画像実寸表示システム１０７を起動するための入力画面（あるいは入力画面用ＰＣ）１０１と、該画像実寸表示システム１０７の起動に必要な入力情報を格納した入力情報ＤＢ１０２と、該画像実寸表示システム１０７の起動に必要なＵＲＬと入力情報ＤＢ１０２の値から成る引数１０３と、該画像実寸表示システム１０７の実行環境であるＪ２ＥＥ準拠のWebアプリケーションサーバ１０４と、Ｊ２ＥＥ準拠のWebアプリケーションサーバ内で動作するＪＳＰ（Java（登録商標）Server Pages）１０５と、Ｊ２ＥＥ準拠のWebアプリケーションサーバ内で動作するServlet（ＪＳＰの実行形式であるJava（登録商標）クラス）１０６と、該画像実寸表示システム１０７が実寸表示するＥxif形式（Exchangeable image file format）画像ファイルの格納場所を保持するＥxif形式（Exchangeable image file format）画像ファイル格納場所ＤＢ１０８と、該画像実寸表示システム１０７が実寸表示するＥxif形式の画像を保持するＥxif形式画像ファイルＤＢ１０９と、Ｊ２ＥＥ準拠のWebアプリケーションサーバ内で動作するServlet（ＪＳＰの実行形式であるJava（登録商標）クラス）から出力されたＨＴＭＬ１１０と、画像データを実寸表示するための画像表示画面（あるいは画像表示画面用ＰＣ）１１１から構成されている。なお、入力画面用ＰＣ１０１と画像表示画面用ＰＣ１１１は同一のＰＣである。
【００２０】
図２は、本発明に係る画像実寸表示システム１０７の処理を説明するためのフローチャートである。
【００２１】
本発明に係る画像実寸表示システム１０７は、データ取得処理部２０１（図１のデータ取得処理部１０７１に相当）とＥxif情報取得処理部２０２（図１のＥxif情報取得処理部１０７２に相当）と画像実寸算出処理部２０３（図１の画像実寸算出処理部１０７３）と画面出力編集処理部２０４（図１の画面出力編集処理部１０７４に相当）を用いて、本発明に係る画像実寸表示のための処理を行う。
【００２２】
ここで、図２の画像実寸表示システム１０７の処理フローチャートを説明するにあたり、Ｅxif形式画像ファイルＤＢ２０９（図１のＥxif形式画像ファイルＤＢ１０８に相当）、入力情報ＤＢ２０５（図１の入力情報ＤＢ１０２に相当）、Ｅxif形式画像ファイル格納場所ＤＢ２０７（図１のＥxif形式画像ファイル格納場所ＤＢ１０８に相当）の項目説明およびデータ例について説明する。
【００２３】
図３は、Ｅxif形式画像ファイルＤＢ２０９（図１のＥxif形式画像ファイルＤＢ１０８に相当）の項目説明およびデータ例である。
【００２４】
同図（１）に示すように、Ｅxif形式画像ファイルＤＢ２０９は、Ｅxif形式画像ファイルＤＢ２０９の項目説明（定義）であり、被写体までの距離である「被写体距離」、レンズに対する垂直方向の写真が写る範囲の角度である「画画（垂直方向）」、レンズに対する水平方向の写真が写る範囲の角度である「画画（水平方向）」の項目を有している。同図（２）は、具体的なデータ例を示している。
【００２５】
図４は、入力情報ＤＢ２０５（図１の入力情報ＤＢ１０２に相当）の項目説明（定義）およびデータ例である。
【００２６】
同図（１）に示すように、入力情報ＤＢ２０５は、画面のサイズを示す「画面サイズ（inch）」、画面サイズの縦横比の縦を示す「画面サイズ縦横比（縦）」、画面サイズの縦横比の横を示す「画面サイズ縦横比（横）」、垂直方向の画面の解像度を示す「画面解像度（垂直方向）」、水平方向の画面の解像度を示す「画面解像度（水平方向）」の項目を有している。同図（２）は、具体的なデータ例を示している。
【００２７】
図５は、Ｅxif形式画像ファイル格納場所ＤＢ２０７（図１のＥxif形式画像ファイル格納場所ＤＢ１０８に相当）の項目説明（定義）およびデータ例である。
【００２８】
同図（１）に示すように、Ｅxif形式画像ファイル格納場所ＤＢ２０７は、Ｅxif形式画像ファイルのパス／ファイル名を示す「Ｅxif形式画像ファイル格納場所」の項目を有している。同図（２）は、具体的なデータ例を示している。
【００２９】
図２に示した画像実寸表示システム１０７の処理では、まず、データ取得処理部２０１（図１のデータ取得処理部１０７１に相当）により、画面サイズ（inch）と画面サイズ縦横比（縦・横）と画面解像度（垂直・水平）を、入力情報ＤＢ２０５（図１の入力情報ＤＢ１０２に相当）から取得する（ステップＳ２０６）。ここで、画面サイズ（inch）と画面サイズ縦横比（縦・横）は取得可能なものと想定している。
【００３０】
次に、Ｅxif形式画像ファイル格納場所（パス／ファイル名）をＥxif形式画像ファイル格納場所ＤＢ２０７（図１のＥxif形式画像ファイル格納場所ＤＢ１０８に相当）から取得する（ステップＳ２０８）。
【００３１】
次に、Ｅxif情報取得処理部２０２（図１のＥxif情報取得処理部１０７２に相当）により、ステップＳ２０８で取得したＥxif形式画像ファイル格納場所（パス／ファイル名）に基づいてＥxif形式画像ファイルＤＢ２０９（図１のＥxif形式画像ファイルＤＢ１０９に相当）から撮影時の被写体距離と画角（垂直・水平方向）を取得する（ステップＳ２１０）。ここで、撮影時の被写体距離と画角（垂直・水平方向）は取得可能なものと想定している。
【００３２】
次に、画像実寸算出処理部２０３（図１の画像実寸算出処理部１０７３）により、被写体の実寸を以下のようにして計算する。
【００３３】
ステップＳ２１０で取得した撮影時の被写体距離と画角（垂直・水平方向）から、次の計算方式を用いて被写体の高さと幅の実寸を算出する（ステップＳ２１１）。
高さ（mm）=２×（被写体距離（m）×１０００×ｔａｎ（画角（垂直方向）（度）／２））⇒（ａ）
幅（mm）=２×（被写体距離（m）×１０００×ｔａｎ（画角（水平方向）（度）／２））⇒（ｂ）
なお、高さの算出結果を（ａ）、幅の算出結果を（ｂ）とした。
【００３４】
次に、画面サイズを以下のようにして計算する。
ステップＳ２０６で取得した画面サイズ（inch）と画面サイズ縦横比（縦・横）から、次の計算方式を用いて画面の高さと幅のサイズを算出する（ステップＳ２１２）。
高さ（mm）=（画面サイズ（inch）／√（画面サイズ縦比の２乗+画面サイズ横比の２乗））×画面サイズ縦比×２５.４⇒（ｃ）
幅（mm）=（画面サイズ（inch）／√（画面サイズ縦比の２乗+画面サイズ横比の２乗））×画面サイズ横比×２５.４⇒（ｄ）
なお、高さの算出結果を（ｃ）、幅の算出結果を（ｄ）とした。
【００３５】
次に、画面１pixel寸法を以下のようにして計算する。
ステップＳ２０６で取得した画面解像度（垂直・水平）とステップＳ２１２で算出した画面の高さと幅のサイズから、次の計算方式を用いて画面１pixel寸法を算出する（ステップＳ２１３）。
高さ（mm）=（ｃ）／画面解像度（垂直）⇒（ｅ）
幅（mm）=（ｄ）／画面解像度（水平）⇒（ｆ）
なお、高さの算出結果を（ｅ）、幅の算出結果を（ｆ）とした。
【００３６】
次に、被写体の高さと幅の実寸表示pixel数を以下のようにして計算する。
ステップＳ２１１で算出した被写体の高さと幅の実寸とステップＳ２１３で算出した画面１pixel寸法から、次の計算方式を用いて被写体の高さと幅の実寸表示pixel数を算出する（ステップＳ２１４）。
高さ（pixel）=（ａ）／（ｅ）⇒（ｇ）
幅（pixel）=（ｂ）／（ｆ）⇒（ｈ）
なお、高さの算出結果を（ｇ）、幅の算出結果を（ｈ）とした。
【００３７】
次に、画像出力編集処理部２０４（図１の画像出力編集処理部１０７４に相当）により、ステップＳ２１４で算出した被写体の高さと幅の実寸表示pixel数（（ｇ）と（ｈ））から、画像データを実寸表示するためのＨＴＭＬのimgタグを生成する（ステップＳ２１５）。
【００３８】
図６は、本発明における画像実寸表示の概念図であり、縦１８００ｍｍの像A（被写範囲３０００ｍｍ）をデジカメ（デジタルカメラ）により縦３６０ドットの画像Ｂ（フレームサイズ６００ドット）として記録する場合の光学系の例と、縦方向６０００ｍｍ（イ），３０００ｍｍｍ（ロ），１５００ｍｍ（ハ）の表示画面に、それぞれ解像度６００，９００で表示する場合のドット数の例を示している。本例の場合、（イ）および（ロ）の表示画面には全体表示可能であるが、（ハ）の表示画面にはサイズがオーバーして全体表示が不可となる。
【００３９】
図７および図８は、本発明に係るＪＳＰプログラム１０５およびＨＴＭＬ１１０の一例を示したものである。
【００４０】
なお、図２により説明したＪ２ＥＥ準拠のWebアプリケーションサーバ１０４内の画像実寸表示システム１０７においてデータ取得処理部１０７１と画像実寸算出処理部１０７２と画面出力編集処理部１０７３により実現される機能は、それぞれの処理部（データ取得処理部と画像実寸算出処理部と画面出力編集処理部）に対応するプログラム（データ取得処理プログラムと画像実寸算出処理プログラムと画面出力編集処理プログラム）をＪ２ＥＥ準拠のWebアプリケーションサーバ１０４を構成するＣＰＵにより実行することにより実現される。これらのプログラム（データ取得処理プログラムと画像実寸算出処理プログラムと画面出力編集処理プログラム）は、ＣＤ−ＲＯＭやＤＶＤなどのコンピュータ読取り可能な記録媒体やインターネットなどを介して市場に流通させることができる。
【図面の簡単な説明】
【００４１】
【図１】本発明に係る画像実寸表示システムの全体を示す構成図である。
【図２】本発明に係る画像実寸表示システムの処理を説明するためのフローチャートである。
【図３】本発明に係るＥxif形式画像ファイルＤＢの項目説明およびデータ例である。
【図４】本発明に係る入力情報ＤＢの項目説明およびデータ例である。
【図５】本発明に係るＥxif形式画像ファイル格納場所ＤＢの項目説明およびデータ例である。
【図６】本発明における画像実寸表示の概念図である。
【図７】本発明に係るＪＳＰプログラムの例である。
【図８】本発明に係るＨＴＭＬの例である。
【符号の説明】
【００４２】
１００：画像実寸表示システム
１０１：入力画面
１０２，２０５：入力情報ＤＢ
１０３：ＵＲＬと引数
１０４：Ｊ２ＥＥ準拠のWebアプリケーションサーバ
１０５：ＪＳＰ
１０６：Servlet（ＪＳＰの実行形式であるJava（登録商標）クラス）
１０７：画像実寸表示システム
１０７１：データ取得処理部
１０７２：Ｅxif情報取得処理部
１０７３：画像実寸算出処理部
１０７４：画面出力編集処理部
１０８，２０７：Ｅxif形式画像ファイル格納場所ＤＢ
１０９，２０９：Ｅxif形式画像ファイルＤＢ
１０：ＨＴＭＬ
１１１：画像表示画面
【図１】
2010078677.tif 000003
【図２】
2010078677.tif 000004
【図３】
2010078677.tif 000005
【図４】
2010078677.tif 000006
【図５】
2010078677.tif 000007
【図６】
2010078677.tif 000008
【図７】
2010078677.tif 000009
【図８】
2010078677.tif 000010